(57)【要約】【課題】  安価なコストで大量の活魚介類を適正に移送することができるとともに、移送中において活魚介類の大小を簡易に選別することができる活魚介類の移送装置を提供すること。【解決手段】  上流側に水の流入口２が形成された曳航可能な袋状部３と、この袋状部３内に配設され、前記袋状部３内の大きさの異なる複数の活魚介類を、所定の大きさよりも小さい活魚介類を通過させることによって大小を選別可能とされた少なくとも１個の選別・流速低減部７とを有すること。【選択図】      図１
2005110549.tif 000002
【特許請求の範囲】
【請求項１】
活魚介類を移送先に移送する活魚介類の移送装置において、
上流側に水の流入口が形成された曳航可能な袋状部と、
この袋状部内に配設され、前記袋状部内の大きさの異なる複数の活魚介類を、所定の大きさよりも小さい活魚介類を通過させることによって大小を選別可能とされるとともに、袋状部内の少なくとも一部における流速を低減可能とされた少なくとも１個の選別・流速低減部と
を有することを特徴とする活魚介類の移送装置。
【請求項２】
前記選別・流速低減部は、網部材からなることを特徴とする請求項１に記載の活魚介類の移送装置。
【請求項３】
前記袋状部における前記流入口に連なる一定範囲の部位が、網状に形成されていることを特徴とする請求項１または請求項２に記載の活魚介類の移送装置。
【請求項４】
前記袋状部の下流側に、水の流出口が開閉可能に形成されていることを特徴とする請求項１乃至請求項３のいずれか１項に記載の活魚介類の移送装置。
【請求項５】
前記袋状部は、流水抵抗に優れた素材によって形成されていることを特徴とする請求項１乃至請求項４のいずれか１項に記載の活魚介類の移送装置。
【請求項６】
流水の圧力を用いて前記袋状部に対して拡開方向の力を作用させる複数の拡開手段を有することを特徴とする請求項１乃至請求項５のいずれか１項に記載の活魚介類の移送装置。
【請求項７】
前記拡開手段の少なくとも一つは、曳航方向から作用する流水の圧力を受けることによって拡開方向に変位することを特徴とする請求項６に記載の活魚介類の移送装置。
【請求項８】
前記拡開手段のうち、前記曳航方向から作用する流水の圧力を受けることによって拡開方向に変位する拡開手段を除いた他の拡開手段は、曳航方向と逆方向から作用する流水の圧力を受けることによって拡開方向に変位することを特徴とする請求項７に記載の活魚介類の移送装置。
【発明の詳細な説明】
【技術分野】
【０００１】
本発明は、活魚介類の移送装置に係り、特に、活魚介類を移送先に移送するのに好適な活魚介類の移送装置に関する。
【背景技術】
【０００２】
従来から、旋網等の漁法によって漁獲された魚介類を出荷調整等のために養殖生簀等の移送先に生きた状態で移送することが行われていた。
【０００３】
このような活魚介類の移送方法としては、活魚介類を生簀網等の移送装置に収容し、この移送装置を漁船等の動力源を用いて曳航することによって、活魚介類を移送するようになっていた。
【０００４】
しかし、活魚介類を生簀網に収容して移送する場合、生簀網の構造上、移送の際に生簀網が流水の圧力によって変形するため、生簀網内の容積が小さくなってしまう。これによって、生簀網内の活魚介類が生簀網の外に逃避してしまう場合や、生簀網内の活魚介類の密度が高くなることによって、活魚介類が衝突やストレスで疲労・斃死する場合が多く、大量の活魚介類を鮮度を維持しつつ適正に移送するのには適さなかった。
【０００５】
一方で、生簀網の形状の変形を防止するために生簀網の曳航速度すなわち活魚介類の移送速度を遅くする場合は、自ずと移送の回数が制限されてしまうため、やはり大量の活魚介類の移送には適さないものとなる。
【０００６】
また、従来は、移送装置内の流速が速すぎることによって、魚介類に作用する水流の圧力が大きくなり、この結果、魚介類が疲労してその鮮度が保たれなくなり、その上、斃死に至ってしまう場合が多かった。
【０００７】
そこで、活魚介類の適正な移送を図るための移送装置がこれまでにも種々提案されていた。
【０００８】
【特許文献１】特開昭６２−３６１２９号公報
【特許文献２】特表２００３−５１００９６号公報
【発明の開示】
【発明が解決しようとする課題】
【０００９】
しかしながら、従来は、大量の活魚介類を適正かつ迅速に移送するための移送装置を簡易に構成することができず、製造コストの上昇を余儀なくされていた。
【００１０】
また、移送中に活魚貝類の大小を選別することができないため、移送先において、魚体の大小を選別しなければならず、選別作業に多大な労力およびコストを要していた。
【００１１】
そこで、本発明は、安価なコストで大量の活魚介類を適正に移送することができるとともに、移送中において活魚介類の大小を簡易に選別することができる活魚介類の移送装置を提供することを目的とするものである。
【課題を解決するための手段】
【００１２】
前述した目的を達成するため、本発明の請求項１に係る活魚介類の移送装置の特徴は、活魚介類を移送先に移送する活魚介類の移送装置において、上流側に水の流入口が形成された曳航可能な袋状部と、この袋状部内に配設され、前記袋状部内の大きさの異なる複数の活魚介類を、所定の大きさよりも小さい活魚介類を通過させることによって大小を選別可能とされた少なくとも１個の選別・流速低減部とを有する点にある。
【００１３】
そして、このような構成によれば、袋状部内に活魚介類を収容して移送を行うことによって、活魚介類の収容容積を一定に保持しながら迅速な移送を行うことができ、また、このような袋状部内に選別・流速低減部を備えたことによって、袋状部内の流速を低減しつつ活魚介類の移送を行うことができる。
【００１４】
この結果、大量の活魚介類を、疲労や斃死を防止しつつ適正に移送することが可能となる。
【００１５】
また、袋状部内における流速を低減することができることにともなって、袋状部の曳航速度を速くしたとしても活魚介類の疲労や斃死を有効に抑制することができることから、活魚介類の移送を迅速に行うことが可能となる。
【００１６】
さらに、このような活魚介類の移送と選別とを行う装置を、選別・流速低減部を備えた袋状部からなる簡易な構成によって安価に形成することが可能となる。
【００１７】
請求項２に係る活魚介類の移送装置の特徴は、請求項１において、前記選別・流速低減部が、網部材からなる点にある。
【００１８】
そして、このような構成によれば、選別・流速低減部をさらに簡易かつ軽量な構成にすることができるため、さらに効率的かつ安価に活魚介類の移送および選別を行うことが可能となる。
【００１９】
請求項３に係る活魚介類の移送装置の特徴は、請求項１または請求項２において、前記袋状部における前記流入口に連なる一定範囲の部位が、網状に形成されている点にある。
【００２０】
そして、このような構成によれば、袋状部内の活魚介類に酸素を供給する特別な装置を要せずとも、袋状部の網状に形成された部位を通して袋状部内の水を交換することができるため、袋状部内の活魚介類に酸素を簡便かつ適正に供給することができる。この結果、袋状部内の活魚介類の疲労や斃死をさらに有効かつ安価に抑制することが可能となる。
【００２１】
なお、袋状部の曳航速度を速くしたとしても、前記網状の部位は流水に対する一定の流水抵抗を有するため、袋状部内の流速が活魚介類の適正な移送に支障を来たすほど大きくなってしまうことはない。
【００２２】
請求項４に係る活魚介類の移送装置の特徴は、請求項１乃至請求項３のいずれか１項において、前記袋状部の下流側に、水の流出口が開閉可能に形成されている点にある。
【００２３】
そして、このような構成によれば、移送先において、袋状部内の活魚介類を流出口を通して自然に解放することができるため、解放時において活魚介類が損傷することを防止することができ、活魚介類の鮮度をさらに良好に保持することが可能となる。
【００２４】
請求項５に係る活魚介類の移送装置の特徴は、請求項１乃至請求項４のいずれか１項において、前記袋状部が、流水抵抗に優れた素材によって形成されている点にある。
【００２５】
そして、このような構成によれば、袋状部に外部から作用する水圧に抗するように袋状部の形状を保持することができるため、袋状部内の活魚介類をさらに安定的に移送することが可能となる。
【００２６】
請求項６に係る活魚介類の移送装置の特徴は、請求項１乃至請求項５のいずれか１項において、流水の圧力を用いて前記袋状部に対して拡開方向の力を作用させる複数の拡開手段を有する点にある。
【００２７】
そして、このような構成によれば、袋状部の形状をさらに適正に保持することによってより安定的に活魚介類を移送することが可能となる。
【００２８】
請求項７に係る活魚介類の移送装置の特徴は、請求項６において、前記拡開手段の少なくとも一つは、曳航方向から作用する流水の圧力を受けることによって拡開方向に変位する点にある。
【００２９】
そして、このような構成によれば、曳航時に、拡開手段に曳航方向から流水の圧力を作用させることによって、前記拡開手段を拡開方向に変位させることができるため、曳航時における袋状部の形状をさらに効率的かつ安定的に保持することが可能となる。
【００３０】
請求項８に係る活魚介類の移送装置の特徴は、請求項７において、前記拡開手段のうち、前記曳航方向から作用する流水の圧力を受けることによって拡開方向に変位する拡開手段を除いた他の拡開手段は、曳航方向と逆方向から作用する流水の圧力を受けることによって拡開方向に変位する点にある。
【００３１】
そして、このような構成によれば、非曳航時または曳航停止時に、拡開手段に曳航方向と逆方向から流水の圧力を作用させることによって、前記拡開手段を拡開方向に変位させることができるため、非曳航時または曳航停止時における袋状部の形状を効率的かつ安定的に保持することが可能となる。
【発明の効果】
【００３２】
本発明の請求項１に係る活魚介類の移送装置によれば、活魚介類の移送の際に活魚介類に及ぶ負担を軽減して疲労や斃死を有効に防止することができる移送装置を安価に実現することができるとともに、活魚介類の大小の選別に要する労力を大幅に軽減することができる。
【００３３】
請求項２に係る活魚介類の移送装置によれば、請求項１に係る活魚介類の移送装置の効果に加えて、活魚介類の移送および大小の選別に要するコストをさらに削減することができる。
【００３４】
請求項３に係る活魚介類の移送装置によれば、請求項１または請求項２に係る活魚介類の移送装置の効果に加えて、さらに、活魚介類の疲労や斃死を有効に防止する移送装置を実現することができる。
【００３５】
請求項４に係る活魚介類の移送装置によれば、請求項１乃至請求項３に係る活魚介類の移送装置の効果に加えて、活魚介類の鮮度をさらに良好に保持することができる。
【００３６】
請求項５に係る活魚介類の移送装置によれば、請求項１乃至請求項４に係る活魚介類の効果に加えて、袋状部内の活魚介類をさらに安定的に移送する移送装置を実現することができる。
【００３７】
請求項６に係る活魚介類の移送装置によれば、請求項１乃至請求項５に係る活魚介類の移送装置の効果に加えて、さらに安定的に活魚介類を移送する移送装置を実現することができる。
【００３８】
請求項７に係る活魚介類の移送装置によれば、請求項６に係る活魚介類の移送装置の効果に加えて、さらに簡便に活魚介類を安定的に移送する移送装置を実現することができる。
【００３９】
請求項８に係る活魚介類の移送装置によれば、請求項７に係る活魚介類の移送装置の効果に加えて、活魚介類の移送を行わないときや、あるいは、移送を停止したときにおいても、活魚介類に及ぶ負担を軽減することができる活魚介類の移送装置を実現することができる。
【発明を実施するための最良の形態】
【００４０】
まず、本発明に係る活魚介類の移送装置の実施形態について、図１乃至図５を参照して説明する。
【００４１】
図１乃至図３に示すように、本実施形態における活魚介類の移送装置１は、一端部に円形状の水の流入口２が形成された袋状部３を有しており、この袋状部３は、外周に取着された複数本の曳航綱４を介して前記流入口２を上流側にした状態で漁船６（図５参照）等の動力源によって曳航可能とされている。
【００４２】
さらに、前記袋状部３の内部には、この袋状部３内の大きさの異なる複数の活魚介類を所定の大きさよりも小さい活魚介類を通過させることによって大小を選別可能とされるとともに、袋状部３内の少なくとも一部における流速を低減可能とされた選別・流速低減部７が配設されている。
【００４３】
この選別・流速低減部７は、１個配設するようにしてもよいし、また、流水方向（曳航方向）に所定の間隔を設けて複数個配設するようにしてもよい。前記選別・流速低減部７を複数個配設する場合は、通過させる魚介類の大きさが上流側から下流側に向かって順次段階的に変化するように配設することが好ましい。この場合、例えば、通過させる魚介類の大きさが上流側から下流側に向かって順次大きくなるように配設するようにすれば、活魚介類が流水に逆らって泳ぐ性質を利用して選別をより効率的に行うことができる。
【００４４】
このように、前記選別・流速低減部７を備えた袋状部３を有する移送装置１によれば、前記袋状部３を曳航することによって、前記袋状部３内の流速を前記選別・流速低減部７によって低減しながら活魚介類を移送することができる。
【００４５】
この結果、大量の活魚介類を疲労や斃死を防止しつつ適正に移送することができるようになっている。
【００４６】
また、袋状部３内における流速を低減することができることにともなって、袋状部３の曳航速度を速くしたとしても活魚介類の疲労や斃死を有効に抑制することができることから、活魚介類の移送を迅速に行うことができるようになっている。より具体的には、本実施形態によれば、５ノットに達する曳航速度に対しても、適正な移送を行うことが期待できる。
【００４７】
さらに、このような活魚介類の移送と選別とを行う装置１を、選別・流速低減部７を備えた袋状部３からなる簡易な構成によって安価に形成することができるようになっている。
【００４８】
また、本実施形態においては、前記選別・流速低減部７が、網部材によって形成されている。
【００４９】
これにより、選別・流速低減部７をさらに簡易かつ軽量な構成にすることができるため、さらに効率的かつ安価に活魚介類の移送および選別を行うことができるようになっている。
【００５０】
さらに、本実施形態においては、前記袋状部３における前記流入口２に連なる一定範囲の部位が、網状に形成されている。より具体的には、前記流水口２に連なる図１における左右の両側面の傾斜状の部位３ａが網状に形成されている。
【００５１】
これにより、袋状部３内の活魚介類に酸素を供給する特別な装置を要せずとも、袋状部３の網状に形成された部位３ａを通して袋状部３内の水を交換することができるため、袋状部３内の活魚介類に酸素を簡便かつ適正に供給することができる。この結果、袋状部３内の活魚介類の疲労や斃死をさらに有効かつ安価に抑制することができるようになっている。
【００５２】
なお、袋状部３の曳航速度を速くしたとしても、網状の部位３ａは流水に対する一定の流水抵抗を有するため、袋状部３内の流速が活魚介類の適正な移送に支障を来たすほど大きくなってしまうことはない。
【００５３】
さらにまた、本実施形態においては、前記袋状部３の下流側に、水の流出口８が開閉可能に形成されている。
【００５４】
これにより、移送先において、袋状部３内の活魚介類を流出口８を通して自然に解放することができるため、解放時において活魚介類が損傷することを防止することができ、活魚介類の鮮度をさらに良好に保持することができるようになっている。
【００５５】
また、本実施形態においては、前記袋状部３における流水方向における中央側の部位が、流水方向に沿って開口の大きさがほぼ同一に形成され、上流側の部位が、上流側に向かって開口の大きさが次第に小さくなるように形成され、下流側の部位が、下流側に向かって開口の大きさが次第に小さくなるように形成されている。より具体的には、前記袋状部３の中央側の部位は、流水方向に直交する横断面が略長方形の開口を有するような中空略四角柱状に形成され、この中央側の部位に連なる上流側の部位が、前記流入口２に向かって横断面が小さくなる中空略四角錐台状に形成され、下流側の部位が、前記流出口８に向かって横断面が小さくなる中空略四角錐台状に形成されている。
【００５６】
これにより、さらに、袋状部３内の流速を低減して活魚介類に作用する水圧を緩和しながら活魚介類を移送するために好適な形状に袋状部３を形成することができ、この結果、活魚介類の疲労や斃死をさらに有効に抑制することができるようになっている。
【００５７】
さらに、本実施形態においては、前記袋状部３が、流水抵抗に優れた素材によって形成されている。
【００５８】
これにより、袋状部３に外部から作用する水圧に抗するように袋状部３の形状を保持することができるため、袋状部３内の容積を大きく保持することができ、この結果、袋状部３内の活魚介類を疲労や斃死を抑制しつつさらに安定的に移送することができるようになっている。
【００５９】
なお、前記袋状部３を、例えばキャンパス地によって形成すれば、袋状部３内の圧力をより安定的に保持することができる。
【００６０】
さらにまた、本実施形態においては、前記袋状部３に、流水の圧力を用いて前記袋状部３に対して拡開方向の力を作用させる複数の拡開手段１０が着脱可能に配設されている。
【００６１】
これにより、袋状部３の曳航の際に、外部から作用する流水の圧力に抗して袋状部３の形状をさらに適正に保持することができるため、より安定的に活魚介類を移送することができるようになっている。
【００６２】
前記複数の拡開手段１０のうち、図１に示すように、前記袋状部３の左右の両側面に、曳航方向に所定の間隔を設けて配設された左右各一対、合計４個の拡開手段１０は第１拡開手段１４とされている。
【００６３】
前記第１拡開手段１４は、曳航方向上流側に開口１４ａを有するとともに、この開口１４ａを通じて曳航方向から流入して第１拡開手段１４の内面に作用する流水の圧力を受けることによって、拡開方向（左右方向）に変位（膨張）可能とされている。
【００６４】
従って、曳航時における袋状部３の形状をさらに効率的かつ安定的に保持することができるようになっている。
【００６５】
さらに、前記複数の拡開手段１０のうち、前記第１拡開手段１４を除く他の拡開手段２４、すなわち、前記袋状部３の左右の両側面であって、前記左右各一対の第１拡開手段１４の間に配設された左右各１個の拡開手段２４は、第２拡開手段２４とされている。
【００６６】
前記第２拡開手段２４は、曳航方向下流側に開口２４ａを有するとともに、この開口２４ａを通じて曳航方向と逆方向から流入して第２拡開手段２４の内面に作用する流水の圧力を受けることによって、拡開方向に変位可能とされている。従って、前記第２拡開手段２４は、曳航時には拡開手段として機能せず、袋状部３が定位を保持する非曳航時や、袋状部３の曳航を停止した曳航停止時においてはじめて機能するようになっている。
【００６７】
これにより、非曳航時または曳航停止時における袋状部３の形状を効率的かつ安定的に保持することができるようになっている。
【００６８】
なお、前記第１拡開手段１４、第２拡開手段２４をそれぞれ拡網体とすれば、拡開手段１４，２４をさらに簡便かつ安価に得ることができ、ひいては移送装置１の製造コストを削減することができる。
【００６９】
さらに、前記各拡開手段１４，２４を、例えばキャンパス地によって形成すれば、袋状体３の形状をさらに効率的かつ安定的に保持することができる。
【００７０】
上記各構成の他にも、本実施形態においては、前記袋状部３の左右の両側面に、所定の直径を有する複数個の開孔１１が穿設されており、この開孔１１を通して袋状部３内の水を交換することができるようになっている。これにより、袋状部３内が酸素不足になることをさらに有効に防止することができ、袋状部３内の活魚介類の疲労や斃死をさらに有効に抑制することができるようになっている。
【００７１】
また、前記流入口２の外周には、金属等からなる円環状の剛性の流入口保持部材１２が取着されており、この流入口保持部材１２によって流入口２の形状を適正に保持してより安定的な活魚介類の移送を行うことができるようになっている。
【００７２】
さらに、前記袋状部３には、ファスナ１３が必要に応じて配設されており、このファスナ１３によって前記袋状部３を開閉可能とされている。
【００７３】
さらにまた、前記袋状部３の上面には、浮子１５が、下面には沈子１６が連結されており、これによって前記袋状部３に適正な浮力を付与しつつ袋状部３の曳航をより安定的に行うことができるようになっている。
【００７４】
なお、前記移送装置１は、図４に示すようにアンカー綱１８、係留綱１９、枠綱２０等が連結されるとともに、浮子１５および沈子によって浮力を安定的に保持されることによって、活魚介類を畜養する生簀としても機能させることができる。
【００７５】
次に、本実施形態の作用について説明する。
【００７６】
本実施形態において、活魚介類を移送する場合は、旋網等から前記袋状部３に活魚介類を移し、流出口８を遮蔽した後、図５に示すように、前記袋状部３を前記曳航綱４を介して漁船６等の動力源に連結する。なお、予め動力源に連結した袋状部３内に活魚介類を移すようにしてもよい。
【００７７】
次に、前記漁船６等を所望の速度で航行させることによって、前記袋状部３がその内部に収容された活魚介類とともに曳航される。
【００７８】
このとき、前記袋状部３内に配設された前記選別・流速低減部７によって、袋状部３内における流速を低減して活魚介類に作用する水圧を有効に低減した状態で移送が行われるとともに、この移送の際に、前記袋状部３内の活魚介類の大小の選別が行われる。
【００７９】
また、前記網状の部位３ａおよび前記開孔１１によって袋状部３と外部との間で水の交換が行われ、袋状部３内の活魚介類に対して酸素の供給が適正に行われる。
【００８０】
さらに、前記袋状部３が流水抵抗に優れた素材から形成されいるとともに、袋状部３の曳航にともなって第１拡開手段１４が曳航方向から作用する流水の圧力を受けて拡開方向に変位することによって、袋状部３内の容積が大きく保持された状態で活魚介類の移送が安定的に行われる。
【００８１】
そして、移送先においては、袋状部３の曳航を停止した後、前記流出口８を開放することによって袋状部３内の活魚介類を外部に解放する。このとき、第２拡開手段２４が、曳航方向の逆方向から作用する流水の圧力を受けて拡開方向に変位することによって、袋状部３内の容積を大きく保持することができるため、移送後においても活魚介類を安定的に保持することができる。
【００８２】
したがって、本実施形態によれば、選別・流速低減部７を備えた袋状部３を用いて活魚介類の移送を行うことによって、安価なコストによって、大量の活魚介類を疲労や斃死を有効に抑制しつつ適正かつ迅速に移送することができる。
【００８３】
なお、本発明は、前述した実施の形態に限定されるものではなく、必要に応じて種々の変更が可能である。
【図面の簡単な説明】
【００８４】
【図１】本発明に係る活魚介類の移送装置を示す斜視図
【図２】図１の平面図
【図３】図１の右側面図
【図４】図１の移送装置の他の利用態様を示す斜視図
【図５】本発明に係る活魚介類の移送装置の実施形態において、移送装置の曳航状態を模式的に示す図
【符号の説明】
【００８５】
１  移送装置
２  流入口
３  袋状部
３ａ  網状の部位
７  選別・流速低減部
８  流出口
１０  拡開手段
１４  第１拡開手段
２４  第２拡開手段
【図１】
2005110549.tif 000003
【図２】
2005110549.tif 000004
【図３】
2005110549.tif 000005
【図４】
2005110549.tif 000006
【図５】
2005110549.tif 000007